(57)【要約】      （修正有）【課題】安全性が高くて使い易い上、ローディングするＭＣＡＰエネルギ蓄積ユニットの数を増やすことができるローディングシステムを提供する。【解決手段】ＭＣＡＰエネルギ蓄積モジュールのローディングシステムは、エネルギ蓄積ユニット及びローディングユニットを備える。エネルギ蓄積ユニットは、第１のハウジング部４０１及び封止部を有する。第１のハウジング部４０１は、４つの側壁４０１ａ，４０１ｂ，４０１ｃ，４０１ｄ、底壁４０１ｅ及び第１の開口部４２０を有し、第１の開口部４２０から第１のハウジング部４０１の中に複数のＭＣＡＰセルがローディングされる。封止部は、第１の開口部４２０を封止する。４つの側壁４０１ａ，４０１ｂ，４０１ｃ，４０１ｄのうちの１つである第１の側壁には、第１の電極４０７が配置され、４つの側壁のうちの１つである第２の側壁には、第２の電極４０８が配置され、第２の側壁は、第１の側壁に対向する。【選択図】図４Ａ
2011199280.tif 000002
【特許請求の範囲】
【請求項１】
エネルギ蓄積ユニット及びローディングユニットを備えるＭＣＡＰエネルギ蓄積モジュールのローディングシステムであって、
前記エネルギ蓄積ユニットは、第１のハウジング部及び封止部を有し、
前記第１のハウジング部は、４つの側壁、底壁及び第１の開口部を有し、前記第１の開口部から前記第１のハウジング部の中に複数のＭＣＡＰセルがローディングされ、
前記封止部は、前記第１の開口部を封止し、
前記４つの側壁のうちの１つである第１の側壁には、第１の電極が配置され、前記４つの側壁のうちの１つである第２の側壁には、第２の電極が配置され、前記第２の側壁は、前記第１の側壁に対向し、
前記第１の側壁及び前記第２の側壁の中には、複数の軌道セットが設けられ、前記複数の軌道セットのそれぞれは、前記第１のハウジング部の中で対応した前記ＭＣＡＰセルを滑入させる軌道を有し、
前記ローディングユニットは、第２のハウジング部及び封止部を有し、
前記第２のハウジング部は、前記エネルギ蓄積ユニットをローディングする第２の開口部を有し、
前記封止部は、前記第２の開口部を封止することを特徴とするＭＣＡＰエネルギ蓄積モジュールのローディングシステム。
【請求項２】
前記複数のＭＣＡＰセルのそれぞれは、基板に形成された複数のＭＣＡＰを有し、
前記複数のＭＣＡＰは、並列に接続され、
前記複数のＭＣＡＰセルのそれぞれは、前記基板の中に形成された第１のコネクタを有し、
前記複数のＭＣＡＰは、前記第１のコネクタと電気的に接続され、
前記第１のハウジング部は、前記底壁の中に形成された複数の第２のコネクタを有することを特徴とする請求項１に記載のＭＣＡＰエネルギ蓄積モジュールのローディングシステム。
【請求項３】
前記ＭＣＡＰセルは、前記第１のハウジング部の中へ滑入され、
前記ＭＣＡＰセルの前記第１のコネクタは、対応した前記第２のコネクタに接続されていることを特徴とする請求項２に記載のＭＣＡＰエネルギ蓄積モジュールのローディングシステム。
【請求項４】
前記ハウジング部の前記底壁には、前記第２のコネクタを前記第１の電極及び前記第２の電極へ接続する導線が設けられていることを特徴とする請求項２に記載のＭＣＡＰエネルギ蓄積モジュールのローディングシステム。
【請求項５】
前記第２のハウジング部は、前記エネルギ蓄積ユニットに前記ローディングユニットが当たることを防ぐローディング機構を有することを特徴とする請求項１に記載のＭＣＡＰエネルギ蓄積モジュールのローディングシステム。
【請求項６】
前記ローディング機構は磁気機構であり、
前記第１のハウジング部は、前記４つの側壁のうちの１つに配置された特定の磁極を有する磁気機構を有することを特徴とする請求項５に記載のＭＣＡＰエネルギ蓄積モジュールのローディングシステム。
【請求項７】
前記エネルギ蓄積ユニットが前記第２のハウジング部にローディングされる際、前記磁気機構の特定の磁極と異なるように前記ローディング機構の磁極を調整し、前記エネルギ蓄積ユニットを吸引することを特徴とする請求項６に記載のＭＣＡＰエネルギ蓄積モジュールのローディングシステム。
【請求項８】
前記第２のハウジング部から前記エネルギ蓄積ユニットを取り出す際、前記磁気機構の特定の磁極と同じになるように前記ローディング機構の磁極を調整し、前記エネルギ蓄積ユニットを反発させることを特徴とする請求項６に記載のＭＣＡＰエネルギ蓄積モジュールのローディングシステム。
【請求項９】
前記エネルギ蓄積ユニットを装着する装着部をさらに備えることを特徴とする請求項１に記載のＭＣＡＰエネルギ蓄積モジュールのローディングシステム。
【請求項１０】
前記装着部は、第３の電極及び第４の電極を有し、
前記装着部に前記エネルギ蓄積ユニットが装着されると、前記第１の電極が前記第３の電極に接触し、前記第２の電極が前記第４の電極に接触し、
前記第３の電極及び前記第４の電極は、他の電子部品に接続されることを特徴とする請求項９に記載のＭＣＡＰエネルギ蓄積モジュールのローディングシステム。
【請求項１１】
前記装着部は、スプリング又は磁気機構である排出機構を有し、
前記第１のハウジング部は、複数の側壁のうちの１つに配置された特定の磁極を有する磁気機構を有することを特徴とする請求項９に記載のＭＣＡＰエネルギ蓄積モジュールのローディングシステム。
【請求項１２】
前記装着部に前記エネルギ蓄積ユニットが装着される際、前記磁気機構の特定の磁極と異なるように前記排出機構の磁極を調整し、前記エネルギ蓄積ユニットを吸引することを特徴とする請求項１１に記載のＭＣＡＰエネルギ蓄積モジュールのローディングシステム。
【請求項１３】
前記装着部から前記エネルギ蓄積ユニットを取り出す際、前記磁気機構の特定の磁極と同じになるようにローディング機構の磁極を調整し、前記エネルギ蓄積ユニットを反発させることを特徴とする請求項１１に記載のＭＣＡＰエネルギ蓄積モジュールのローディングシステム。
【請求項１４】
エネルギ蓄積ユニット、ローディングユニット及び装着部を備えるＭＣＡＰエネルギ蓄積モジュールのローディングシステムであって、
前記エネルギ蓄積ユニットは、第１のハウジング部、第１の電極、第２の電極、第１の磁気機構、第２の磁気機構及び封止部を有し、
前記第１のハウジング部は、第１の側壁、第２の側壁、第３の側壁、第４の側壁、底壁及び第１の開口部を有し、前記第１の開口部から前記第１のハウジング部の中に複数のＭＣＡＰセルがローディングされ、
前記第１の電極は、前記第１の側壁に配置され、
前記第２の電極は、前記第１の側壁に対向した前記第２の側壁に配置され、
前記第１の磁気機構は、前記第３の側壁に配置され、
前記第２の磁気機構は、前記第３の側壁に対向した前記第４の側壁に配置され、
前記第１の磁気機構及び前記第２の磁気機構のそれぞれは、特定の磁極を有し、
前記封止部は、前記第１の開口部を封止し、
前記第１の側壁及び前記第２の側壁の中には、複数の軌道セットが設けられ、前記複数の軌道セットのそれぞれは、前記第１のハウジング部の中で対応した前記ＭＣＡＰセルを滑入させる軌道を有し、
前記ローディングユニットは、第２のハウジング部、ローディング機構及び封止部を有し、
前記第２のハウジング部は、前記第２のハウジング部へ前記エネルギ蓄積ユニットをローディングする第２の開口部を有し、
前記ローディング機構は、前記第１の磁気機構と協働で作動し、
前記封止部は、前記第２の開口部を封止し、
前記装着部は、前記エネルギ蓄積ユニットを装着し、第３の電極、第４の電極、排出機構及び第２の磁気機構を有し、
前記装着部に前記エネルギ蓄積ユニットが装着されると、前記第１の電極が前記第３の電極に接触し、前記第２の電極が前記第４の電極に接触し、
前記排出機構と前記第２の磁気機構とが協働で作動し、
前記装着部に前記エネルギ蓄積ユニットが装着される際、特定の磁極と同じになるように前記ローディング機構の磁極を調整し、特定の磁極と異なるように前記排出機構の磁極を調整し、前記エネルギ蓄積ユニットは、前記第１の磁気機構と前記ローディング機構との間の反発力により前記ローディングユニットから離れ、前記エネルギ蓄積ユニットは、前記排出機構と前記第２の磁気機構との間の吸引力により前記装着部の中に装着され、
前記装着部から前記エネルギ蓄積ユニットが取り出される際、特定の磁極と異なるように前記ローディング機構の磁極を調整し、特定の磁極と同じになるように前記排出機構の磁極を調整することにより、前記エネルギ蓄積ユニットは、前記排出機構と前記第２の磁気機構との間の反発力により前記装着部から外れ、前記第１の磁気機構と前記第１のローディング機構との間の吸引力により前記ローディングユニットの中にローディングされることを特徴とするＭＣＡＰエネルギ蓄積モジュールのローディングシステム。
【請求項１５】
前記第３の電極及び前記第４の電極は、他の電子部品に接続されていることを特徴とする請求項１４に記載のＭＣＡＰエネルギ蓄積モジュールのローディングシステム。
【発明の詳細な説明】
【技術分野】
【０００１】
本発明は、ローディングシステムに関し、特にＭＣＡＰエネルギ蓄積モジュールのローディングシステムに関する。
【背景技術】
【０００２】
エネルギ蓄積部は、私達の生活にとって非常に重要である。回路に用いるキャパシタ、携帯装置に用いる電池などの電気デバイスは、性能及び作業時間が電気エネルギ蓄積部により左右される。
【０００３】
しかし、従来のエネルギ蓄積部には問題がある。例えば、キャパシタは、電流リークにより総合的な性能が低下する問題点を有する。電池は、部分的な充電／放電を繰り返すことにより発生するメモリ効果により総合的な性能を低下させる虞がある。
【０００４】
そのため、新たな蓄積モジュールであるＭＣＡＰ蓄積モジュールが開発された。
【発明の概要】
【発明が解決しようとする課題】
【０００５】
本発明は上述の点に鑑みて為されたもので、その目的は、高密度のＭＣＡＰエネルギ蓄積ユニットの安全性が高くて使い易い上、モジュール設計により、ローディングするＭＣＡＰエネルギ蓄積ユニットの数を容易に増やすことができるＭＣＡＰエネルギ蓄積モジュールのローディングシステムを提供することにある。
【課題を解決するための手段】
【０００６】
（１）  エネルギ蓄積ユニット及びローディングユニットを備えるＭＣＡＰエネルギ蓄積モジュールのローディングシステムであって、前記エネルギ蓄積ユニットは、第１のハウジング部及び封止部を有し、前記第１のハウジング部は、４つの側壁、底壁及び第１の開口部を有し、前記第１の開口部から前記第１のハウジング部の中に複数のＭＣＡＰセルがローディングされ、前記封止部は、前記第１の開口部を封止し、前記４つの側壁のうちの１つである第１の側壁には、第１の電極が配置され、前記４つの側壁のうちの１つである第２の側壁には、第２の電極が配置され、前記第２の側壁は、前記第１の側壁に対向し、前記第１の側壁及び前記第２の側壁の中には、複数の軌道セットが設けられ、前記複数の軌道セットのそれぞれは、前記第１のハウジング部の中で対応した前記ＭＣＡＰセルを滑入させる軌道を有し、前記ローディングユニットは、第２のハウジング部及び封止部を有し、前記第２のハウジング部は、前記エネルギ蓄積ユニットをローディングする第２の開口部を有し、前記封止部は、前記第２の開口部を封止することを特徴とするＭＣＡＰエネルギ蓄積モジュールのローディングシステム。
【０００７】
（２）  前記複数のＭＣＡＰセルのそれぞれは、基板に形成された複数のＭＣＡＰを有し、前記複数のＭＣＡＰは、並列に接続され、前記複数のＭＣＡＰセルのそれぞれは、前記基板の中に形成された第１のコネクタを有し、前記複数のＭＣＡＰは、前記第１のコネクタと電気的に接続され、前記第１のハウジング部は、前記底壁の中に形成された複数の第２のコネクタを有することを特徴とする（１）に記載のＭＣＡＰエネルギ蓄積モジュールのローディングシステム。
【０００８】
（３）  前記ＭＣＡＰセルは、前記第１のハウジング部の中へ滑入され、前記ＭＣＡＰセルの前記第１のコネクタは、対応した前記第２のコネクタに接続されていることを特徴とする（２）に記載のＭＣＡＰエネルギ蓄積モジュールのローディングシステム。
【０００９】
（４）  前記ハウジング部の前記底壁には、前記第２のコネクタを前記第１の電極及び前記第２の電極へ接続する導線が設けられていることを特徴とする（２）に記載のＭＣＡＰエネルギ蓄積モジュールのローディングシステム。
【００１０】
（５）  前記第２のハウジング部は、前記エネルギ蓄積ユニットに前記ローディングユニットが当たることを防ぐローディング機構を有することを特徴とする（１）に記載のＭＣＡＰエネルギ蓄積モジュールのローディングシステム。
【００１１】
（６）  前記ローディング機構は磁気機構であり、前記第１のハウジング部は、前記４つの側壁のうちの１つに配置された特定の磁極を有する磁気機構を有することを特徴とする（５）に記載のＭＣＡＰエネルギ蓄積モジュールのローディングシステム。
【００１２】
（７）  前記エネルギ蓄積ユニットが前記第２のハウジング部にローディングされる際、前記磁気機構の特定の磁極と異なるように前記ローディング機構の磁極を調整し、前記エネルギ蓄積ユニットを吸引することを特徴とする（６）に記載のＭＣＡＰエネルギ蓄積モジュールのローディングシステム。
【００１３】
（８）  前記第２のハウジング部から前記エネルギ蓄積ユニットを取り出す際、前記磁気機構の特定の磁極と同じになるように前記ローディング機構の磁極を調整し、前記エネルギ蓄積ユニットを反発させることを特徴とする（６）に記載のＭＣＡＰエネルギ蓄積モジュールのローディングシステム。
【００１４】
（９）  前記エネルギ蓄積ユニットを装着する装着部をさらに備えることを特徴とする（１）に記載のＭＣＡＰエネルギ蓄積モジュールのローディングシステム。
【００１５】
（１０）  前記装着部は、第３の電極及び第４の電極を有し、前記装着部に前記エネルギ蓄積ユニットが装着されると、前記第１の電極が前記第３の電極に接触し、前記第２の電極が前記第４の電極に接触し、前記第３の電極及び前記第４の電極は、他の電子部品に接続されることを特徴とする（９）に記載のＭＣＡＰエネルギ蓄積モジュールのローディングシステム。
【００１６】
（１１）  前記装着部は、スプリング又は磁気機構である排出機構を有し、前記第１のハウジング部は、複数の側壁のうちの１つに配置された特定の磁極を有する磁気機構を有することを特徴とする（９）に記載のＭＣＡＰエネルギ蓄積モジュールのローディングシステム。
【００１７】
（１２）  前記装着部に前記エネルギ蓄積ユニットが装着される際、前記磁気機構の特定の磁極と異なるように前記排出機構の磁極を調整し、前記エネルギ蓄積ユニットを吸引することを特徴とする（１１）に記載のＭＣＡＰエネルギ蓄積モジュールのローディングシステム。
【００１８】
（１３）  前記装着部から前記エネルギ蓄積ユニットを取り出す際、前記磁気機構の特定の磁極と同じになるようにローディング機構の磁極を調整し、前記エネルギ蓄積ユニットを反発させることを特徴とする（１１）に記載のＭＣＡＰエネルギ蓄積モジュールのローディングシステム。
【００１９】
（１４）  エネルギ蓄積ユニット、ローディングユニット及び装着部を備えるＭＣＡＰエネルギ蓄積モジュールのローディングシステムであって、前記エネルギ蓄積ユニットは、第１のハウジング部、第１の電極、第２の電極、第１の磁気機構、第２の磁気機構及び封止部を有し、前記第１のハウジング部は、第１の側壁、第２の側壁、第３の側壁、第４の側壁、底壁及び第１の開口部を有し、前記第１の開口部から前記第１のハウジング部の中に複数のＭＣＡＰセルがローディングされ、前記第１の電極は、前記第１の側壁に配置され、前記第２の電極は、前記第１の側壁に対向した前記第２の側壁に配置され、前記第１の磁気機構は、前記第３の側壁に配置され、前記第２の磁気機構は、前記第３の側壁に対向した前記第４の側壁に配置され、前記第１の磁気機構及び前記第２の磁気機構のそれぞれは、特定の磁極を有し、前記封止部は、前記第１の開口部を封止し、前記第１の側壁及び前記第２の側壁の中には、複数の軌道セットが設けられ、前記複数の軌道セットのそれぞれは、前記第１のハウジング部の中で対応した前記ＭＣＡＰセルを滑入させる軌道を有し、前記ローディングユニットは、第２のハウジング部、ローディング機構及び封止部を有し、前記第２のハウジング部は、前記第２のハウジング部へ前記エネルギ蓄積ユニットをローディングする第２の開口部を有し、前記ローディング機構は、前記第１の磁気機構と協働で作動し、前記封止部は、前記第２の開口部を封止し、前記装着部は、前記エネルギ蓄積ユニットを装着し、第３の電極、第４の電極、排出機構及び第２の磁気機構を有し、前記装着部に前記エネルギ蓄積ユニットが装着されると、前記第１の電極が前記第３の電極に接触し、前記第２の電極が前記第４の電極に接触し、前記排出機構と前記第２の磁気機構とが協働で作動し、前記装着部に前記エネルギ蓄積ユニットが装着される際、特定の磁極と同じになるように前記ローディング機構の磁極を調整し、特定の磁極と異なるように前記排出機構の磁極を調整し、前記エネルギ蓄積ユニットは、前記第１の磁気機構と前記ローディング機構との間の反発力により前記ローディングユニットから離れ、前記エネルギ蓄積ユニットは、前記排出機構と前記第２の磁気機構との間の吸引力により前記装着部の中に装着され、前記装着部から前記エネルギ蓄積ユニットが取り出される際、特定の磁極と異なるように前記ローディング機構の磁極を調整し、特定の磁極と同じになるように前記排出機構の磁極を調整することにより、前記エネルギ蓄積ユニットは、前記排出機構と前記第２の磁気機構との間の反発力により前記装着部から外れ、前記第１の磁気機構と前記第１のローディング機構との間の吸引力により前記ローディングユニットの中にローディングされることを特徴とするＭＣＡＰエネルギ蓄積モジュールのローディングシステム。
【００２０】
（１５）  前記第３の電極及び前記第４の電極は、他の電子部品に接続されていることを特徴とする（１４）に記載のＭＣＡＰエネルギ蓄積モジュールのローディングシステム。
【発明の効果】
【００２１】
本発明のＭＣＡＰエネルギ蓄積モジュールのローディングシステムは、高密度のＭＣＡＰエネルギ蓄積ユニットの安全性が高くて使い易い上、モジュール設計により、ローディングするＭＣＡＰエネルギ蓄積ユニットの数を容易に増やすことができる。
【図面の簡単な説明】
【００２２】
【図１】本発明の一実施形態による電気エネルギを蓄積するＭＣＡＰを示す模式図である。
【図２】基板に複数のＭＣＡＰを配置してＭＣＡＰセルを形成したときの状態を示す模式図である。
【図３】複数のＭＣＡＰセルを積層して形成したＭＣＡＰモジュールを示す斜視図である。
【図４Ａ】本発明の一実施形態によるＭＣＡＰモジュールのエネルギ蓄積ユニットを示す斜視図である。
【図４Ｂ】図４Ａの線Ａ−Ａ’に沿った断面図である。
【図５Ａ】ハウジング及び封止部を含むローディングユニットを示す斜視図である。
【図５Ｂ】ローディングユニットの中にエネルギ蓄積ユニットをローディングしたときの状態を示す斜視図である。
【図５Ｃ】図５Ｂの線Ｂ−Ｂ’に沿った断面図である。
【図６Ａ】本発明の一実施形態によるＭＣＡＰエネルギ蓄積モジュールのローディングシステムにＭＣＡＰモジュールをローディングしたときの状態を示す断面図である。
【図６Ｂ】装着部の中にエネルギ蓄積ユニットを装着した後に、装着部をダストカバーで覆ったときの状態を示す模式図である。
【図７Ａ】本発明の一実施形態によるＭＣＡＰエネルギ蓄積モジュールのローディングシステムからＭＣＡＰモジュールを取り出すときの状態を示す断面図である。
【図７Ｂ】装着部の中にエネルギ蓄積ユニットを装着した後に、装着部をダストカバーで覆ったときの状態を示す模式図である。
【図８】連続的に装着するＭＣＡＰモジュール機構を示す模式図である。
【発明を実施するための形態】
【００２３】
以下、本発明の実施形態を図面に基づいて説明する。
磁気コンデンサ（Ｍａｇｎｅｔｉｃ  Ｃａｐａｃｉｔｏｒ：ＭＣＡＰ）は、エネルギ蓄積技術である。この技術は、同じ体積及び重量の条件下で、従来のキャパシタより１０億倍以上のエネルギを蓄積することができる。この技術を利用すると、従来の技術よりエネルギの使用効率を高めることができる。
【００２４】
図１を参照する。図１に示すように、本発明の一実施形態による電気エネルギを蓄積するＭＣＡＰ１００は、第１の磁性セクション１１０と、第２の磁性セクション１２０と、第１の磁性セクション１１０と第２の磁性セクション１２０との間に配置された誘電体セクション１３０と、を含む。誘電体セクション１３０は、電気エネルギを蓄積するために用いる。第１の磁性セクション１１０及び第２の磁性セクション１２０は、電流リークを防ぐために用いるダイポールを有する。誘電体セクション１３０は薄膜であり、例えば、ＢａＴｉＯ３、ＴｉＯ３などの誘電体材料からなる。
【００２５】
図２を参照する。図２に示すように、ＭＣＡＰセル２００は、基板２０１に複数のＭＣＡＰ１００が配置されて構成されている。基板２０１上には、外部装置に接続するために用いる第１のコネクタ２０２を有する。これらのＭＣＡＰ１００は、互いに並列に接続され、第１のコネクタ２０２に接続されている。本実施形態において複数のＭＣＡＰセル２００は、ＭＣＡＰモジュール３００に一体化されたり、図３に示すように、互いに積層されてＭＣＡＰモジュール３００に形成されたりしてもよい。
【００２６】
しかし、各ＭＣＡＰモジュールが完全に充電された状態で、不用意に扱うと重大な負傷又は死亡事故が発生する虞がある。同様に、保護措置が十分にとられていない環境で使用した場合、電流リークが発生して大きな損害が生じる虞がある。そのため、ＭＣＡＰモジュールを保護する安全な蓄積ユニットが求められていた。
【００２７】
図４Ａ及び図４Ｂを参照する。図４Ａ及び図４Ｂに示すように、ＭＣＡＰモジュール３００は、エネルギ蓄積ユニット４００の中に配置されている。エネルギ蓄積ユニット４００は、ハウジング部４０１及びカバー部４０２を含む。ハウジング部４０１は、４つの側壁４０１ａ，４０１ｂ，４０１ｃ，４０１ｄ、底壁４０１ｅ及び開口部４２０を含む。側壁４０１ａは、側壁４０１ｃに対向するように設けられている。側壁４０１ｂは、側壁４０１ｄに対向するように設けられている。第１の電極４０７は、側壁４０１ａに配置されている。第２の電極４０８は、側壁４０１ｃに配置されている。第１の電極４０７は、アノード電極として用い、第２の電極４０８は、カソード電極として用いる。これにより、ＭＣＡＰモジュール３００は、開口部４２０からエネルギ蓄積ユニット４００の中にローディングされると、第１の電極４０７及び第２の電極４０８を介し、外部装置へ電源を供給することができる。即ち、外部装置は、ＭＣＡＰモジュール３００により電源供給される。
【００２８】
本実施形態において、ＭＣＡＰセル２００は、ハウジング部４０１の中へローディングされ、側壁４０１ｂ，４０１ｄに対して平行に配置される。複数の軌道セット４０３は、側壁４０１ｂ，４０１ｄの内面に形成されている。各軌道セット４０３は、ハウジング部４０１の中で対応したＭＣＡＰセル２００を滑入させるために用いる軌道を含む。本実施形態の軌道セット４０３は、ＭＣＡＰセル２００の縁部と略等しい長さを有する互いに平行な２つの軌道４０３ａ，４０３ｂを含む。本実施形態の２つの軌道４０３ａ，４０３ｂの形状は、同じ方向を向いたＬ字状であるが、本発明の態様はこれだけに限定されるわけではない。
【００２９】
さらに、複数の第２のコネクタ４０５は、底壁４０４の内面に形成されている。複数の第２のコネクタ４０５のそれぞれは、底壁４０４の内面に形成された導線４０６により電気的に接続されている。導線４０６は、第１の電極４０７及び第２の電極４０８に接続されている。ＭＣＡＰセル２００が軌道セット４０３からハウジング部４０１へローディングされるとき、ＭＣＡＰセル２００の第１のコネクタ２０２が第２のコネクタ４０５に接続される。第２のコネクタ４０５が導線４０６により電気的に接続されると、ＭＣＡＰセル２００の全てが互いに電気的に接続される。導線４０６が第１の電極４０７及び第２の電極４０８と接続されているため、ＭＣＡＰセル２００に電源を供給したり、第１の電極４０７及び第２の電極４０８を介し、外部装置に電源を供給したりすることができる。他の実施形態では、側壁４０１ｂ，４０１ｄに付加的な２つの磁気機構４１０，４１２がそれぞれ配置されてもよい。以下、磁気機構４１０，４１２を利用し、ローディングシステムへエネルギ蓄積ユニット４００をローディングしたり、ローディングシステムからエネルギ蓄積ユニット４００を取り出したりする方法を詳述する。
【００３０】
ハウジング部４０１にＭＣＡＰセル２００の全てがローディングされると、ハウジング部４０１をカバー部４０２で封止してＭＣＡＰセル２００を保護する。
【００３１】
ローディングユニット５００を用いてエネルギ蓄積ユニット４００を封止することにより、ＭＣＡＰモジュールのローディング工程の効率を向上させることができる。図５Ａに示すように、ローディングユニット５００は、ハウジング５０１及び封止部５０２を含む。エネルギ蓄積ユニット４００は、封止部５０２上に配置され、ハウジング５０１により覆われている。
【００３２】
図５Ｂ及び図５Ｃを参照する。図５Ｂ及び図５Ｃに示すように、ローディング機構５０３（例えば、スプリング又は磁気機構）は、ローディングユニット５００の内側上面に配置され、エネルギ蓄積ユニット４００がローディングユニット５００に衝突することを防いだり、ローディングユニット５００へエネルギ蓄積ユニット４００をローディングしたりするために用いることができる。本実施形態のローディング機構５０３は、磁気機構である。この場合、エネルギ蓄積ユニット４００の側壁４０１ｂの中に配置した第２の電極４０８は、特定の磁極を有する。ローディングユニット５００の中にエネルギ蓄積ユニット４００をローディングする際、エネルギ蓄積ユニット４００の特定の磁極と異なる磁極を有するようにローディング機構５０３を調整すると、ローディングユニット５００によりエネルギ蓄積ユニット４００を吸引することができる。ローディングユニット５００からエネルギ蓄積ユニット４００を取り出す際、エネルギ蓄積ユニット４００の特定の磁極と同じ磁極を有するようにローディング機構５０３を調整すると、反発力によりエネルギ蓄積ユニット４００をローディングユニット５００から取り出すことができる。
【００３３】
図６Ａを参照する。図６Ａに示すように、本実施形態のＭＣＡＰモジュール３００は、外付けシステム６００（例えば、電気自動車など）へ電気エネルギを供給する。外付けシステム６００は、ＭＣＡＰモジュール３００を装着する装着部６０２を有する。ダストカバー６０８は、装着部６０２を覆う。２つの電極６０３，６０４は、装着部６０２の側壁６０２ａ，６０２ｂの中にそれぞれ配置されている。２つの導線６０５，６０６は、２つの電極６０３，６０４にそれぞれ接続されている上、外付けシステム６００の電子部品にも接続されている。２つの電極６０３，６０４の高さは、エネルギ蓄積ユニット４００の第１の電極４０７及び第２の電極４０８の高さに等しい。そのため、装着部６０２にＭＣＡＰモジュール３００を装着すると、２つの電極６０３，６０４に第１の電極４０７及び第２の電極４０８がそれぞれ接触する。これにより、ＭＣＡＰモジュール３００の電気エネルギが導線６０５，６０６により伝送され、外付けシステム６００の電子部品に供給される。
【００３４】
本発明の他の実施形態による排出機構６０７は、装着部６０２の底部に配置されている。排出機構６０７は、装着部６０２にエネルギ蓄積ユニット４００を装着する際、エネルギ蓄積ユニット４００が装着部６０２の底部に当たることを防ぐことができる。即ち、排出機構６０７は緩衝効果を有する。排出機構６０７は、例えば、スプリング又は磁気機構である。本実施形態の排出機構６０７は、ローディング機構５０３と協働で用いることができる。例えば、排出機構６０７及びローディング機構５０３は、磁気機構である。装着部６０２にエネルギ蓄積ユニット４００を装着する際、まず、ローディングユニット５００の封止部５０２を取り外し、エネルギ蓄積ユニット４００の側壁４０１ｂに配置した磁気機構の磁極と同じになるようにローディング機構５０３の磁極を調整し、エネルギ蓄積ユニット４００の側壁４０１ｄに配置した磁気機構の磁極と異なるように排出機構６０７の磁極を調整する。これにより、エネルギ蓄積ユニット４００は、磁気機構４１０とローディング機構５０３との間の反発力によりローディングユニット５００から外したり、排出機構６０７と磁気機構４１２との間の吸引力により装着部６０２の中に装着したりすることができる。エネルギ蓄積ユニット４００が装着部６０２に装着された後、装着部６０２をダストカバー６０８により覆う（図６Ｂに示す）。
【００３５】
図７Ａを参照する。図７Ａに示すように、装着部６０２からエネルギ蓄積ユニット４００を取り出す際、まず、ローディングユニット５００の封止部５０２を取り外してから、エネルギ蓄積ユニット４００の磁気機構４１０の磁気機構の磁極と異なるようにローディング機構５０３の磁極を調整したり、エネルギ蓄積ユニット４００の磁気機構４１２の磁極と同じになるように排出機構６０７の磁極を調整したりする。これにより、エネルギ蓄積ユニット４００は、排出機構６０７と磁気機構４１２との間の反発力により装着部６０２から外したり、磁気機構４１０とローディング機構５０３との間の吸引力によりローディングユニット５００の中に装着したりすることができる。図７Ｂに示すように、ローディングユニット５００にエネルギ蓄積ユニット４００をローディングした後、ダストカバー６０８により装着部６０２を覆う。
【００３６】
本発明の他の実施形態において、連続的にローディングするＭＣＡＰモジュール機構は、システム８００が複数のＭＣＡＰモジュールに電気エネルギを供給する場合、システム８００の中の複数のＭＣＡＰモジュールをローディングする。図８に示すように、この場合、複数のローディングユニット５００は、１列に配列され、矢印方向で移動する。そのため、エネルギ蓄積ユニット４００は、装着部８０２へ順次装着される。この実施形態において、排出機構８０７は、緩衝効果を有するスプリングである。この排出機構８０７は、装着部８０２にエネルギ蓄積ユニット４００を装着する際、装着部８０２の底部にエネルギ蓄積ユニット４００が当たることを防ぐことができる。
【００３７】
上述したことから分かるように、本発明のＭＣＡＰエネルギ蓄積モジュールのローディングシステムは、以下（１）〜（６）の長所を有する。
（１）高密度のＭＣＡＰエネルギ蓄積ユニットの安全性を高めて使い易くすることができる。
（２）モジュール設計により、ＭＣＡＰエネルギ蓄積ユニットの数を増やすことができる。
（３）エネルギ蓄積モジュールが完全に放電されたときに、完全に充電されたエネルギ蓄積モジュールと容易に交換することができる。
（４）総合的なシステムの重量を減らすことができる。
（５）エネルギ蓄積システムの体積及びサイズを減らすことができる。
（６）小さな重量及び体積で大量のエネルギをシステムに供給することができる。
【００３８】
当該分野の技術を熟知するものが理解できるように、本発明の好適な実施の形態を前述の通り開示したが、これらは決して本発明を限定するものではない。本発明の主旨と範囲を逸脱しない範囲内で変更や修正を加えることができる。従って、本発明の特許請求の範囲は、このような変更や修正を含めて広く解釈されるべきである。
【符号の説明】
【００３９】
１００…ＭＣＡＰ、
１１０…第１の磁性セクション、
１２０…第２の磁性セクション、
１３０…誘電体セクション、
２００…ＭＣＡＰセル、
２０１…基板、
２０２…第１のコネクタ、
３００…ＭＣＡＰモジュール、
４００…エネルギ蓄積ユニット、
４０１…ハウジング部、
４０１ａ…側壁、
４０１ｂ…側壁、
４０１ｃ…側壁、
４０１ｄ…側壁、
４０１ｅ…底壁、
４０２…カバー部、
４０３…軌道セット、
４０３ａ…軌道、
４０３ｂ…軌道、
４０４…底壁、
４０５…第２のコネクタ、
４０６…導線、
４０７…第１の電極、
４０８…第２の電極、
４１０…磁気機構、
４１２…磁気機構、
４２０…開口部、
５００…ローディングユニット、
５０１…ハウジング、
５０２…封止部、
５０３…ローディング機構、
６００…外付けシステム、
６０２…装着部、
６０２ａ…側壁、
６０２ｂ…側壁、
６０３…電極、
６０４…電極、
６０５…導線、
６０６…導線、
６０７…排出機構、
６０８…ダストカバー、
８００…システム、
８０２…装着部、
８０７…排出機構。
【図１】
2011199280.tif 000003
【図２】
2011199280.tif 000004
【図３】
2011199280.tif 000005
【図４Ａ】
2011199280.tif 000006
【図４Ｂ】
2011199280.tif 000007
【図５Ａ】
2011199280.tif 000008
【図５Ｂ】
2011199280.tif 000009
【図５Ｃ】
2011199280.tif 000010
【図６Ａ】
2011199280.tif 000011
【図６Ｂ】
2011199280.tif 000012
【図７Ａ】
2011199280.tif 000013
【図７Ｂ】
2011199280.tif 000014
【図８】
2011199280.tif 000015